(57)【特許請求の範囲】
【請求項１】
パチンコ機に装着して用いられる液晶ユニットの取付構造であって、遊技盤裏面に設けられる前面開口部が設けられた部分と後面収納部を有するセット板と、前記セット板の内側に前面開口部に臨むよう載置される前面開口部が設けられたコの字形状の表ケースと、前記表ケースを前記セット板との間に挟んだ状態で一体に締結するコの字形状の裏ケースから構成されて、全体が箱状に組み合わされ、
前記セット板両側面には、セット板と裏ケースを固定する先端が鉤状の支持爪が設けられ、
前記表ケースには、前記表ケース内部に組み入れられる液晶パネル部とバックライトユニットと制御回路ユニットを保持する溝部と、表ケースと裏ケースを固定するストッパーが上面及び下面に、裏ケース側面両端部に設けられた端部凸部が貫通係合する側部貫通孔が前面開口部が設けられた面の両端部に、それぞれ設けられ、
前記裏ケースには、前記表ケースの前面開口部が形成された面の両端部に設けられた側部貫通孔に貫通係合する端部凸部が側面の両端部に、前記セット板側面に設けられたセット板と当該裏ケースを固定する支持爪が係止される側面貫通孔が両側面に、前記表ケースに設けられたストッパーと貫通係合する上下部貫通孔が上端及び下端に、それぞれ設けられていることを特徴とする液晶ユニットの取付構造。
【請求項２】
前記表ケースは、Ｖ字形状のヒンジ機能を有する折込部を有することを特徴とする請求項１に記載の液晶ユニットの取付構造。
【請求項３】
前面開口が設けられた部分と後面収納部を構成する遊技盤裏面に設けられたセット板と、前記セット板の内側に前面開口部に臨むよう載置される前面開口部が設けられたコの字形状の表ケースと、前記表ケースを前記セット板との間に挟んだ状態で一体に締結するコの字形状の裏ケースから構成され、前記セット板を遊技盤裏面に固定し、
前記表ケースに設けられた溝部に沿って液晶パネル部とバックライトユニットと制御回路ユニットを組み入れ、液晶パネル部とバックライトユニットと制御回路ユニットとを互いに接続し、コの字形状の裏ケースを全体が箱状になるようにして組み合わせ、裏ケース側面の両端部に設けられた端部凸部を、表ケースの前面開口部が設けられた面の両端部に設けられた側部貫通孔に貫通係合し、
表ケース上面及び下面に設けられたストッパーを、該ストッパーと貫通係合する裏ケース上端及び下端に設けられた上下部貫通孔に貫通係合させて表ケースと裏ケースとを箱型に固定し、
セット板側面に設けられたセット板と裏ケースを固定する支持爪を前記表ケースと裏ケースとにより形成された箱型の裏ケース両側面に設けられた側面貫通孔に嵌合させることを特徴とする液晶ユニットの取付方法。
【発明の詳細な説明】
【０００１】
【発明の属する技術分野】
本発明は、液晶ユニットの取付構造及び液晶ユニットの取付方法に関し、特にパチンコ機のリサイクル使用に適した液晶ユニットの取付構造及び液晶ユニットの取付方法に関する。
【０００２】
【従来の技術】
パチンコ機には、その遊技盤面上に液晶表示装置を配置し、この液晶表示装置によって複数の数字、又は図柄等を表示し、その表示された図柄等の組み合せによって当り、又は外れを表して、ゲームを進めるようにしたものがある。このような液晶表示装置では、ハウジングの内部に、液晶パネル、バックライト光拡散板、蛍光管、バックライト反射板、表示制御回路基板が隣接配置して組み込まれ、一体的な液晶表示装置として構成されている。
【０００３】
このため、従来では液晶表示装置を組み立てるとき、例えば、ハウジングに対して液晶パネル及びバックライト光拡散板をねじで締結し、さらにハウジングに蛍光管を取り付けたバックライト反射板をねじで締結し、またさらにハウジングに表示制御回路基板をねじで締結してから、これらの収容するハウジングの蓋を閉じるといった手間のかかる作業をしなければならず、また各部品間、及びハウジングに対し固定するための多数の締結部材が必要になり部品点数が増加し、製品が高価になるという問題がある。
【０００４】
前記問題点を解決する手段として、例えば特開平１０−２４４０５３号公報に開示されているパチンコ機用液晶表示装置がある。係るパチンコ機用液晶表示装置は、図７のような断面構造になっている。即ち、液晶表示装置１１０用ハウジングの前面開口４４０部分を構成する前部フレーム１４０の内側に、液晶パネル部１８０を載置し、その後ろにバツクライトユニット２２０を、液晶パネル部１８０に位置決めして係止する。
【０００５】
そして、前部フレーム１４０に係着して所定位置に係止されるように組み入れ、少なくとも電気シールド機能を有するシールド部材２００を、液晶パネル部１８０と、バックライトユニット２２０との間に挟持されるように配置する。又、回路ユニット２４０をバックライトユニット２２０に対して係合位置決めした状態で締結する。更に後部フレーム１６０を、その一部が前部フレーム１４０の一部との間に回路ユニット２４０の一部を挟んだ状態で一体に締結し、前部フレーム１４０と相俟ってハウジングを構成することにより、全体を１つの係合状態にする。
【０００６】
【発明が解決しようとする課題】
前記パチンコ機用液晶表示装置においては、以下のような問題点があった。即ち、前部フレーム内部にバツクライトユニットを、この液晶パネル部に位置決めして係止し、前部フレームに係着して所定位置に係止されるよう組み入れ、回路ユニットをバックライトユニットに対して係合位置決めした状態で締結する。これらを１つの係合状態にする。そして、回路ユニットを、バックライトユニットに締結するとともに、この回路ユニットを前部フレームと後部フレームとの間に挟持した状態に締結する。従って、前部フレーム内部に各部を位置決めする作業と、これらを締結する作業が必要である。
【０００７】
一方、パチンコ機では、液晶表示装置の故障が発生し、その修理が必要になる場合がある。また、新しいパチンコ機の低価格化や、環境対策のために、使用済みのパチンコ機から高価な液晶表示装置を取り外し、リサイクル使用することが望ましい。係る場合、パチンコ機から液晶表示装置を壊さずに、迅速に取り外す必要がある。しかし、前記したように、例えば特開平１０−２４４０５３号公報に開示されているパチンコ機では、フレーム１４０の内側に、液晶パネル部１８０を載置し、その後ろにバツクライトユニット２２０を、液晶パネル部１８０に位置決めして係止締結された各部を取り外す必要があり、その作業時間が大きい場合があった。
【０００８】
本発明は、係る問題を解決して、パチンコ機のリサイクル使用に適した液晶ユニットの取付構造及び液晶ユニットの取付方法を提供することを目的としてなされたものである。
【０００９】
【課題を解決するための手段】
本発明は上記目的を達成するために、請求項１記載の液晶ユニットの取付構造では、遊技盤裏面に設けられる前面開口部が設けられた部分と後面収納部を有するセット板と、前記セット板の内側に前面開口部に臨むよう載置される前面開口部が設けられたコの字形状の表ケースと、前記表ケースを前記セット板との間に挟んだ状態で一体に締結するコの字形状の裏ケースから構成され、全体が箱状に組み合わされ、前記セット板両側面には、セット板と裏ケースを固定する先端が鉤状の支持爪が設けられ、前記表ケースには、前記表ケース内部に組み入れられる液晶パネル部とバックライトユニットと制御回路ユニットを保持する溝部と、表ケースと裏ケースを固定するストッパーが上面及び下面に、裏ケース側面両端部に設けられた端部凸部が貫通係合する側部貫通孔が前面開口部が設けられた面の両端部に、それぞれ設けられ、前記裏ケースには、前記表ケースの前面開口部が形成された面の両端部に設けられた側部貫通孔に貫通係合する端部凸部が側面の両端部に、前記セット板側面に設けられたセット板と当該裏ケースを固定する支持爪が係止される側面貫通孔が両側面に、前記表ケースに設けられたストッパーと貫通係合する上下部貫通孔が上端及び下端に、それぞれ設けられていることを特徴とする。
【００１０】
請求項２記載の液晶ユニットの取付構造では、前記表ケースは、Ｖ字形状のヒンジ機能を有する折込部を有することを特徴とする。
【００１１】
請求項３記載の液晶ユニットの取付方法では、前面開口が設けられた部分と後面収納部を構成する遊技盤裏面に設けられたセット板と、前記セット板の内側に前面開口部に臨むよう載置される前面開口部が設けられたコの字形状の表ケースと、前記表ケースを前記セット板との間に挟んだ状態で一体に締結するコの字形状の裏ケースから構成され、前記セット板を遊技盤裏面に固定し、前記表ケースに設けられた溝部に沿って液晶パネル部とバックライトユニットと制御回路ユニットを組み入れ、液晶パネル部とバックライトユニットと制御回路ユニットとを互いに接続し、コの字形状の裏ケースを全体が箱状になるようにして組み合わせ、裏ケース側面の両端部に設けられた端部凸部を、表ケースの前面開口部が設けられた面の両端部に設けられた側部貫通孔に貫通係合し、表ケース上面及び下面に設けられたストッパーを、該ストッパーと貫通係合する裏ケース上端及び下端に設けられた上下部貫通孔に貫通係合させて表ケースと裏ケースとを箱型に固定し、セット板側面に設けられたセット板と裏ケースを固定する支持爪を前記表ケースと裏ケースとにより形成された箱型の裏ケース両側面に設けられた側面貫通孔に嵌合させることを特徴とする。
【００１２】
【発明の実施の形態】
図１は、遊技盤１の模式的な説明図である。遊技盤１の略中央部には、遊技者にとって有利な遊技状態を付与するか否かの各種抽選結果を表示可能な特別図柄表示装置２が配設されており、その真下には特別図柄始動口３が配設されていて、この特別図柄始動口３の両側には普通図柄作動ゲート４が、それぞれ配設されている。
【００１３】
そして、特別図柄始動口３に遊技玉が入賞されて乱数抽選が行われ、この抽選された乱数が大当り値（特定遊技状態を生起させる値）である時には、特別図柄表示装置２において特別図柄の変動表示が開始される。
【００１４】
この遊技盤１上に配置された特別図柄表示装置２は、液晶表示装置であって、図２、図３、図４に示すように、遊技盤１を形成するベニア板９(ゲージ盤)の裏面に設けられる、前面開口部１４が設けられた部分と後面収納部を有するセット板５と、前記セット板の内側に前面開口に臨むよう載置される前面開口が設けられたコの字形状の表ケース６と、前記表ケースを前記セット板との間に挟んだ状態で一体に締結するコの字形状の裏ケース７から構成され、全体が箱状に組み合わされている。前記セット板５、表ケース６、裏ケース７は、例えばプラスチック等の合成樹脂を成形して作られている。ここで、図２は、セット板、表ケース、裏ケースとを組み合わせてベニア板(ゲージ盤)の裏面に配設した時の、セット板の側面側の図３におけるＡ−Ｂ断面図である。図３は、図２において、裏ケース側から見たときの正面図である。図４は、セット板、表ケース、裏ケースの外観斜視図である。
【００１５】
セット板５には、図２、図３、図４に示すように、セット板５と裏ケース７を固定する支持爪１２ａ、１２ｂが側面２３に、支持爪１２ｃ、１２ｄが側面２１に、それぞれ設けられている。前記支持爪１２ａ、１２ｂ、支持爪１２ｃ、１２ｄの先端は、裏ケース７の側面２５ａ、２５ｂに、それぞれ設けられた側面貫通孔２９ａ、２９ｂ(図示せず)、及び２９ｃ、２９ｄと、それぞれ嵌合するための鉤状の切り欠き部１１ａ、１１ｂ、１１ｃ、１１ｄが、それぞれ形成されている。
【００１６】
又、セット板５の側面２０、２１、２２、２３によって形成される収納部には前記側面２０、２１、２２、２３によって囲まれる、前面開口部１４が設けられている。該前面開口部１４は、液晶パネル部３２の表示面が遊技盤１から見えるように載置される。
【００１７】
更に又、セット板５は、図２に示すように、遊技盤１のセンター役物１０に対して、ベニヤ板９の後面に設けられている。前記センター役物１０及びベニヤ板９には、図示していない開口部が設けられていて、前記センター役物１０、ベニヤ板９、セット板５の開口部１４が互いに重なり合うようになっていて液晶パネル部３２の表示面が遊技盤１から見えるようになっている。前記センター役物１０とセット板５は、所定の方法、例えば、タッカー、ステプル、螺子止め、接着材などによりベニヤ板９に固定されている。
【００１８】
表ケース６には、後述する前記表ケース６の内部に組み入れられる、図５に示す液晶パネル部３２とバックライトユニット３１と制御回路ユニット３３を保持する、図４、図６に示す溝部１５ａ、１５ｂ、１５ｃ、１５ｄ、１５ｅ、１５ｆ、１５ｇ、１５ｈと、該溝部を形成する凸部１９ａ、１９ｂ、１９ｃ、１９ｄ、１９ｅ、１９ｆ、１９ｇ、１９ｈが、それぞれ形成されている。凸部１９ａは、前記液晶パネル部３２とバックライトユニット３１との間隔を一定に保つように定められている。これと共に、溝部１５ｃと凸部１９ｃとは、バックライトユニット３１と制御回路ユニット３３との間隔を一定に保つように定められている。
【００１９】
液晶パネル部３２は、一般に用いられているバックライト光を拡散するための図示していない拡散板の上に液晶表示素子部を一体的に配置することにより構成されている。また、拡散板の液晶表示素子部の長手方向横側部と、これに直交する方向の縦側部に隣接した部位に図示していない、それぞれ複数のドライバを配置し、これら各々から、制御回路ユニット３３の電子回路に接続するためのリード線部３８がコネクタ３９から引き出されている（係るリード線部３８とコネクタ３９は、理解し易いように仮想的に破線で表してある）。このように構成された液晶パネル部３２は、その液晶表示素子部をセット板５の前面開口部１４が設けられた部分に臨ませるよう、表ケース６の溝部１５ａへ配置され、後述する停止壁１５ｉによって所定範囲外へ移動しないよう制止された状態に組み付けられる。
【００２０】
更に、表ケース６には、表ケース６と裏ケース７を固定するストッパー１３ａ、１３ｂが上面１６及び下面１８に、裏ケース７の側面２５ａ、２５ｂの、それぞれの端部に設けられた端部凸部２８ａ、２８ｂが貫通係合する側部貫通孔１４ａ、１４ｂが前面開口部２４の設けられた面１７の端部１４ｃ、１４ｄに、それぞれ設けられている。
【００２１】
前記表ケース６は、図６（ａ）に示すように、成形された１枚の板で形成されている。係る１枚の板は、図６（ｂ）に示す拡大図のように、Ｖ字形状のヒンジ機能を有する折込部５０、５１においてコの字に屈曲され、図４に示すような、略矩形箱体の底平面部２４を取り除いた形状に形成される。図６に示すように、前記折込部５０、５１は、前記溝部に沿って平行に、形成されていて、前記セット板５の側面２０、２１、２２、２３によって形成される収納部の内側に嵌合できるように、前記折込部５０、５１をコの字に屈曲した時、その高さＨ２と幅Ｗ２は、前記セット板５の側面２０、２１、２２、２３によって形成される収納部の内側の高さＨ１と幅Ｗ１と同等、または僅かに小さい。
【００２２】
前記折込部５０、５１をコの字に屈曲した時上面１６と下面１８とに形成された溝部１５ａ、１５ｂ、１５ｃ、１５ｄと、溝部１５ｅ、１５ｆ、１５ｇ、１５ｈとが互いに対向するようになっている。前記溝部１５ｂ、１５ｃ、１５ｄ、１５ｆ、１５ｇ、１５ｈは、上面１６と下面１８とに形成された凸部１９ａと１９ｂ、１９ｂと１９ｃ、１９ｃと１９ｄ、１９ｅと１９ｆ、１９ｆと１９ｇ、１９ｇと１９ｈとでそれぞれ形成されている。又、溝部１５ａ、１５ｅは、前記折込部５０、５１をコの字に屈曲した時、前面開口部２４の設けられた面１７が形成する立設面と前記凸部１９ａ、１９ｅによって、それぞれ形成される溝である。
【００２３】
前記溝部１５ａ、１５ｂ、１５ｃ、１５ｄと、溝部１５ｅ、１５ｆ、１５ｇ、１５ｈの一方の端(液晶パネル部３２とバックライトユニット３１と制御回路ユニット３３が挿入される端と反対側)には、停止壁１５ｉ、１５ｊ、１５ｋ、１５ｌ、１５ｍ、１５ｎ、１５ｐ、１５ｑが、それぞれ設けられていて、液晶パネル部３２とバックライトユニット３１と制御回路ユニット３３が、動き得る範囲を制限するように構成されていて、それぞれ開口部２４の所定の位置に配置されるように定められている。
【００２４】
なお、前記停止壁は、上面１６又は下面１８に設けられた溝部の何れか一方であってもよい。又、液晶パネル部３２とバックライトユニット３１と制御回路ユニット３３が挿入されない溝部の停止壁はなくともよい。
【００２５】
図２に示すように、前記溝部１５ａには液晶パネル部３２が、溝部１５ｂにはバックライトユニット３１が溝部１５ｄには制御回路ユニット３３が当該溝部に沿って挿入される。
【００２６】
裏ケース７の側面２５ａと２５ｂには、前記表ケース６の前面開口部２４が設けられた面の両端部に設けられた側部貫通孔１４ａ、１４ｂにそれぞれ貫通係合する端部凸部２８ａ、２８ｂが、その端部に、前記セット板５の両側面２３、２２に設けられたセット板５と当該裏ケース７を固定する支持爪１２ａ、１２ｂ、１２ｃ、１２ｄが、それぞれ係止される側面貫通孔２９ａ、２９ｂ、２９ｃ、２９ｄが、それぞれ設けられている。
【００２７】
又、前記表ケース６に設けられたストッパー１３ａ、１３ｂに、それぞれ貫通係合する上下部貫通孔４２ａ、４２ｂが上面平面部２７の上端及び下端に、それぞれ設けられた折り込み凸部４３ａ、４３ｂに設けられている。
【００２８】
前記上下部貫通孔４２ａ、４２ｂは、前記表ケース６と裏ケース７とで略矩形箱体が形成されとき、前記表ケース６に設けられたストッパー１３ａ、１３ｂにより、それぞれ貫通係合されて両ケースが固定される。
【００２９】
又、裏ケース７の側面２５ｂには、図５に示す制御回路ユニット３３に設けられた図示していないパチンコ機の所定の信号線に接続されるケーブル４０が引き出される、開口切欠部３０ａが形成されている。
【００３０】
裏ケース７の上面平面部２７には、送風機８からの風が通りぬける貫通孔３０ｆと、前記送風機８を固定する凸部３０ｂ、３０ｃ及び支持爪３０ｄ、３０ｅが、前記貫通孔３０ｆを囲むようにして、それぞれ形成されている。前記凸部３０ｂ、３０ｃに送風機８を挿入し、前記凸部３０ｂ、３０ｃで送風機８の側部８ｃ、８ｄを、支持爪３０ｄ、３０ｅで送風機８の上部８ａ、下部８ｂが、それぞれ固定される。固定された送風機の電源線８ｅは図示していないパチンコ機の所定の電源に接続される。
【００３１】
前記溝部１５ａと溝部１５ｂと溝部１５ｄの溝幅とその長さは、液晶パネル部３２、バックライトユニット３１、制御回路ユニット３３が、それぞれ前記溝に沿ってスライド可能なように、液晶パネル部３２、バックライトユニット３１、制御回路ユニット３３の幅と長さに、それぞれ等しいか、又は、僅かに大きい。そして、図５に示すように液晶パネル部３２、バックライトユニット３１には、制御回路ユニット３３と接続するためのケーブル３８、３５が、それぞれコネクタ３９、３４から引き出されていて、制御回路ユニット３３の基板３３ｃ上に設けられたコネクタ３６、３７に、図２に示すように、それぞれ接続される。
【００３２】
又、制御回路ユニット３３には、基板３３ｃ上に所定の半導体３３ａ、３３ｂが搭載され、液晶パネル部３２、バックライトユニット３１に対して所定の動作を行うようになっている。制御回路ユニット３３、液晶パネル部３２、バックライトユニット３１は、それぞれＡ方向に前記溝部に挿入され、前記溝部に形成されている停止壁１５ｉ、１５ｊ、１５ｋ、１５ｌ、１５ｍ、１５ｎ、１５ｐ、１５ｑで停止される。
【００３３】
図２は、前記セット板５、表ケース６、裏ケース７とを組み合わせて箱型にして、遊技盤１を形成するベニア板９(ゲージ盤)の裏面に配設した時の、セット板５の側面２１側の断面図である。又、図３は、図２において、裏ケース７側から見たときの正面図である。図２、図３により、全体が箱状に組み合わされている液晶ユニットの取付構造を説明する。
【００３４】
図２において、ベニア板９(ゲージ盤)の前面にはセンター役物１０が、後面にはセット板５が、それぞれ開口部が一致するようにして配設されている。セット板５の側面２０、２１、２２、２３（２２、２３は図示せず）によって形成される収納部に、ストッパー１３ａ、１３ｂと上下部貫通孔４２ａ、４２ｂ(図示せず)とで嵌合された表ケース６と裏ケース７とが、はめ込まれて支持爪１２ａ、１２ｂ、１２ｃ、１２ｄ(何れも図示せず)と側面貫通孔２９ａ、２９ｂ、２９ｃ、２９ｄ(何れも図示せず)により固定される。
【００３５】
なお、前記表ケース６には、液晶パネル部３２、バックライトユニット３１、制御回路ユニット３３が、それぞれ前記溝部１５ａ、１５ｂ、１５ｄに挿入されていて、液晶パネル部３２はコネクタ３９を介してケーブル３８で、バックライトユニット３１はコネクタ３４を介してケーブル３５で、互いに制御回路ユニット３３に接続されている。制御回路ユニット３３からは、コネクタ４１を介してケーブル４０が、図示していない開口切欠部３０から引き出されている。
【００３６】
前記の如くして形成される液晶ユニットの取付構造の取付方法について、以下に説明する。まず、遊技盤１の表面にセンター役物１０を取り付ける。そして、該センター役物２０の裏、即ち遊技盤１を形成するベニヤ板９の裏からセット板５の開口部１４が互いに重なり合うようにセット板５を嵌め込む。前記センター役物１０とセット板５は、所定の方法、例えば、タッカー、ステプル、螺子止め、接着材などによりベニヤ板９に固定する。
【００３７】
前記セット板５の内側に、前面開口部に臨むよう載置される前面開口部２４が設けられたコの字形状の表ケース６と、前記表ケース６を前記セット板５との間に挟んだ状態で一体に締結するコの字形状の裏ケース７を全体が箱状になるように以下のようにして組み合わせる。
【００３８】
前記表ケース６に設けられた前記所定の溝部に沿って液晶パネル部３２とバックライトユニット３１と制御回路ユニット３３を組み入れる。そして、液晶パネル部３２とバックライトユニット３１をケーブル３８、３５により、それぞれ制御回路ユニット３３に接続すると共に、制御回路ユニット３３のケーブル４０を裏ケース７の開口切欠部３０ａから引き出しておく。
【００３９】
コの字形状の裏ケース７の側面２５ａ、２５ｂの、それぞれの端部に設けられた端部凸部２８ａ、２８ｂを、表ケース６の面１７の端部１４ｃ、１４ｄに設けられた側部貫通孔１４ａ、１４ｂにあわせて貫通嵌合させる。それと共に、表ケース６の上面１６及び下面１８に設けられたストッパー１３ａ、１３ｂと、裏ケース７の上面平面部２７の上端及び下端に、それぞれ設けられた折り込み凸部４３ａ、４３ｂの上下部貫通孔４２ａ、４２ｂとを嵌合させて全体を箱型に固定する。
【００４０】
前記箱型に固定された表ケース６と裏ケース７とを前記ベニヤ板９に固定されたセット板５の内側に挿入して、表ケース６がセット板５の前面開口部１４に突き当たるまで挿入する。係る状態において、セット板５の側面２３、２１に、それぞれ設けられたセット板５と裏ケース７とを固定する支持爪１２ａ、１２ｂ、１２ｃ、１２ｄの先端に設けられた鉤状の切り欠き部１１ａ、１１ｂ、１１ｃ、１１ｄが、それぞれ側面貫通孔２９ａ、２９ｂ、２９ｃ、２９ｄに嵌合される。
【００４１】
そして、送風機８を裏ケース７の上面平面部２７に設けら凸部３０ｂ、３０ｃ及び支持爪３０ｄ、３０ｅの間に挿入して固定して、送風機８の電源線８ｅを図示していないパチンコ機の所定の電源に接続する。裏ケース７の開口切欠部３０ａから制御回路ユニット３３のケーブル４０が引き出されていて、図示していないパチンコ機の所定の信号線に接続する。
【００４２】
【発明の効果】
請求項１記載の液晶ユニットの取付構造によれば、セット板と表ケースと裏ケースから構成され、全体を嵌合、係止することにより箱状に組みたて、前記表ケースに設けられた溝部に沿って液晶パネル部とバックライトユニットと制御回路ユニットを組み入れる構造とすることにより、パチンコ機のリサイクル使用に適した液晶ユニットの取付構造を提供できる。
【００４３】
請求項２記載の液晶ユニットの取付構造によれば、前記表ケースは、Ｖ字形状のヒンジ機能を有する折込部を有することにより、１枚の板をコの字に屈曲して液晶パネル部とバックライトユニットと制御回路ユニットを保持する上下の溝部を有するケースが容易に形成される。
【００４４】
請求項３記載の液晶ユニットの取付方法によれば、遊技盤を形成するベニヤ板にセット板を取り付け、表ケースと裏ケースを嵌合、係止により箱状に組み合わせて液晶ユニットを組み立てることにより、各部の保守、交換、分解が容易にでき、リサイクルの促進が図れる。
【図面の簡単な説明】
【図１】遊技盤の模式的な説明図である。
【図２】セット板、表ケース、裏ケースとを組み合わせてベニア板(ゲージ盤)の裏面に配設した時の、セット板の側面側の断面図である。
【図３】図２において、裏ケース側から見たときの正面図である。
【図４】セット板、表ケース、裏ケースの外観斜視図である。
【図５】液晶パネル部とバックライトユニットと制御回路ユニットの外観斜視図である。
【図６】表ケースが屈曲形成される前の外観斜視図である。
【図７】従来のパチンコ機用液晶表示装置の断面図である。
【符号の説明】
５  セット板
６  表ケース
７  裏ケース
８  送風機
９  ベニア板
１０  センター役物
１２ａ、１２ｂ、１２ｃ、１２ｄ  支持爪
１３ａ、１３ｂ  ストッパー
１４ａ、１４ｂ  側部貫通孔
１４  前面開口部
１５ａ、１５ｂ、１５ｃ、１５ｄ、１５ｅ、１５ｆ、１５ｇ、１５ｈ  溝部
１９ａ、１９ｂ、１９ｃ、１９ｄ、１９ｅ、１９ｆ、１９ｇ、１９ｈ  凸部
２８ａ、２８ｂ  端部凸部
２９ａ、２９ｂ、２９ｃ、２９ｄ  側面貫通孔
３１  バックライトユニット
３２  液晶パネル部
３３  制御回路ユニット
４２ａ、４２ｂ  上下部貫通孔
【図１】
0004108953.tif 000002
【図２】
0004108953.tif 000003
【図３】
0004108953.tif 000004
【図４】
0004108953.tif 000005
【図５】
0004108953.tif 000006
【図６】
0004108953.tif 000007
【図７】
0004108953.tif 000008